(57)【要約】【課題】本発明は上記したゴムクロ−ラのエンドレス部の改良を目的としたものであり、スチ−ルコ−ド先端からのクラックの発生を低減しようとするものである。【解決手段】ゴムクロ−ラの基体となる有端長尺のゴム弾性体の一方表面にゴムラグが形成され、その内部にゴム弾性体の長手方向に添ってスチ−ルコ−ドが埋設され、更に、このスチ−ルコ−ドの先端をゴム弾性体の両端よりも突出した構造とし、当該スチ−ルコ−ド突出部を重ね合わせ、かかる部位に未加硫ゴムを充填してこれを加硫成型してなるゴムクロ−ラのエンドレス構造であって、少なくともゴムクロ−ラの外周側となる前記スチ−ルコ−ド突出部先端の外周側には周囲のゴムラグの高さ以内の高さの副ゴムラグを形成した構造。ゴムラグ‥４、副ゴムラグ‥４ｘ、３ａ０ ‥スチ−ルコ−ドの最先端。【選択図】図５
2006056456.tif 000002
【特許請求の範囲】
【請求項１】
ゴムクロ−ラの基体となる有端長尺のゴム弾性体の一方表面にゴムラグが形成され、その内部にゴム弾性体の長手方向に添ってスチ−ルコ−ドが埋設され、更に、このスチ−ルコ−ドの先端をゴム弾性体の両端よりも突出した構造とし、当該スチ−ルコ−ド突出部を重ね合わせ、かかる部位に未加硫ゴムを充填してこれを加硫成型してなるゴムクロ−ラのエンドレス構造であって、少なくともゴムクロ−ラの外周側となる前記スチ−ルコ−ド突出部先端の外周側には周囲のゴムラグの高さ以内の高さの副ゴムラグを形成したことを特徴とするゴムクロ−ラのエンドレス構造。
【請求項２】
有端長尺のゴム弾性体の内部に一定のピッチをもって芯金が埋設された請求項１記載のゴムクロ−ラのエンドレス構造。
【請求項３】
前記副ゴムラグは、山形又は平坦形とした請求項１又は２記載のゴムクロ−ラのエンドレス構造。
【請求項４】
前記副ゴムラグは、周囲のゴムラグの牽引、旋回、耐荷重機能を有さない形状とした請求項１乃至３記載のゴムクロ−ラのエンドレス構造。
【発明の詳細な説明】
【技術分野】
【０００１】
本発明は有端長尺のゴム弾性体の先端を加硫接着させてエンドレスとしたゴムクロ−ラのエンドレス構造に関するものである。
【背景技術】
【０００２】
ゴムクロ−ラは従来より農機具、建設機械、土木作業機械等に広く用いられおり、通常は有端長尺のゴム弾性体の先端を加硫接着させてエンドレスとしている。
【０００３】
図１は有端長尺のゴム弾性体の先端をエンドレスとする際の一例であり、先ず、有端長尺のゴム弾性体１を加硫成型する。これはゴムクロ−ラ１０の基体をなすものであり、ゴムクロ−ラ１０の外周側となる面にゴムラグ４を、内部に一定のピッチをもって芯金２が埋設されたものであり、この芯金を外周側を囲んでスチ−ルコ−ド３が同時に埋設され、そのスチ−ルコ−ド３の先端３ａ、３ｂはゴム弾性体１の両端よりも突出した構造となっている。
【０００４】
そして、図２に示すようにゴム弾性体１の両端を加硫接着するものであり、突出しているスチ−ルコ−ド３ａ、３ｂを加硫成型型内にて重ね合わせ、この部位に未加硫ゴムを充填してこれを加硫してエンドレス構造とするものである。通常のエンドレス構造にあっては、スチ−ルコ−ドの最先端３ａ０ 、３ｂ０ の先端の跳ね上がりを防ぐため、ゴムラグ４ａ、４ｂにて先端を覆う構造となっている。
【０００５】
他の加硫接着方法としては、ゴム弾性体１を加硫成型する際にその両端を半加硫状態とし、この半加硫状態の両端を重ね合わせてエンドレス構造とする場合もある。この場合も図２に示すように、スチ−ルコ−ドの最先端３ａ０ 、３ｂ０ の跳ね上がりを防ぐため、ゴムラグ４ａ、４ｂにて先端を覆う構造となっている。
【０００６】
かかる成型方法によって得られたゴムクロ−ラの使用時には、エンドレス部がスチ−ルコ−ド３ａ、３ｂが重なり合う構造であるため、特にスプロケットやアイドラ−に巻き掛けされた際には巻き掛け抵抗が大きく、ゴムクロ−ラの外周側となるスチ−ルコ−ドの最先端３ａ０ 先端が外側に跳ね上がろうとする力が働く。一方、ゴム弾性体１はこの動きを抑えるように働き、結果としてスチ−ルコ−ドの最先端３ａ０ 近傍のゴム弾性体１に繰り返し歪みが加わることとなる。
【０００７】
実際のゴムクロ−ラに起きる現象としては、スチ−ルコ−ドの最先端３ａ０ がゴムラグ４ａにて覆われているため、ゴムラグ４ａの基部とスチ−ルコ−ドの最先端３ａ０ とを結ぶ部位にクラックが入り、ゴム欠けが生じたり、この部位より水分が入り込み、これがスチ−ルコ−ド３に達し、これによってスチ−ルコ−ド３に錆等の発生がもたらされ、スチ−ルコ−ド３が切断してしまう等の現象が起きるおそれがある。
【発明の開示】
【発明が解決しようとする課題】
【０００８】
本発明は上記したゴムクロ−ラのエンドレス部の改良を目的としたものであり、スチ−ルコ−ド先端からのクラックの発生を低減しようとするものである。
【課題を解決するための手段】
【０００９】
本発明の要旨は、ゴムクロ−ラの基体となる有端長尺のゴム弾性体の一方表面にゴムラグが形成され、通常は有端長尺のゴム弾性体の内部に一定のピッチをもって芯金が埋設され、ゴム弾性体の内部に外周側より芯金を囲んでその長手方向に添ってスチ−ルコ−ドが埋設され、更に、このスチ−ルコ−ドの先端をゴム弾性体の両端よりも突出した構造とし、当該スチ−ルコ−ド突出部を重ね合わせ、かかる部位に未加硫ゴムを充填してこれを加硫成型してなるゴムクロ−ラのエンドレス構造であって、少なくともゴムクロ−ラの外周側となる前記スチ−ルコ−ド突出部先端の外周側には周囲のゴムラグの高さ以内の高さの副ゴムラグを形成し、前記副ゴムラグは、山形又は平坦形としたもので、機能的には、前記副ゴムラグは、周囲のゴムラグの牽引、旋回、耐荷重機能を有さない形状としたものである。
【発明の効果】
【００１０】
スチ−ルコ−ドの最先端における上記のような欠点を解消したものであり、スチ−ルコ−ドの最先端近傍のゴムの歪みをなくし、この部位に生じるゴムクラックを低減したものであり、ゴムクロ−ラの寿命の向上を図ったものである。
【発明を実施するための最良の形態】
【００１１】
本発明はエンドレス構造とした際のスチ−ルコ−ドの重ね合わされることによる欠点、即ち、スチ−ルコ−ドの最先端の跳ね上がりに起因するゴムへの影響をなくそうとするものである。前述したように、スチ−ルコ−ドの最先端を覆うようにしてゴムラグが形成されており、ある意味ではその効果がもたらされるが、ゴムラグを形成したことによる欠点も生じることが指摘されている。
【００１２】
図３はゴムクロ−ラ１０をスプロケット２０に巻き掛けした際の状態を示す図であり、図４はその平坦図である。ゴムラグ４、４ａは、牽引、旋回、耐荷重の機能を果たすように備えられているところ、スチ−ルコ−ド３を重ね合わせた部位３ａ、３ｂの巻き掛け抵抗が大きく、この部位に配置されたゴムラグ４ａは、ゴムラグの機能を果たすべく牽引、旋回、耐荷重に対応すると、特にゴムラグ４ａの基底部４ｄにその歪みが大きく集中することが判明した。更に、スチ−ルコ−ドの最先端３ａ０ が跳ね上がるという傾向があることから、前記のゴムラグ４ａの基底部４ｄに更に歪みが集中してしまい、クラックＣ等の発生に至る。
【００１３】
ゴムクロ−ラはその外周に多数のゴムラグ（以下、主ゴムラグという）４が形成されており、それらが一つづつ、上記のゴムラグの機能を果たすべく牽引、旋回、耐荷重に対応している。従って、ゴムクロ−ラ全体として前記のゴムラグ４ａの主ゴムラグとしての機能を低下させるような構造とするが、一方で、ゴムクロ−ラにもたらされる上記のような欠点を取り除いてしまうことを目的としたものである。
【００１４】
即ち、多数存在するゴムラグ中、ゴムラグ（以下、副ゴムラグと言う）４ｘのみを若干機能的に低下させ、この結果、ゴムクロ−ラとしての寿命を向上させたものであり、例えば、副ゴムラグ４ｘの背丈を低くすることによって通常のゴムラグの機能である牽引、耐荷重に対応させず、この副ゴムラグ４ｘに歪みを生じないようにさせたものである。
【００１５】
かかる副ゴムラグ４ｘの形状は、主ゴムラグ４の高さ以内の高さとする以外は特に限定するものではないが、例えば、やや背丈を低くした類似或いは相似形のゴムラグ、円弧形状のゴムラグ、前後の主ゴムラグ間に跨がる平坦状のゴム部等が例示される。これらはいずれもスチ−ルコ−ドの最先端３ａ０ の跳ね上がりを防止するためにその先端を覆うように配置されるが、副ゴムラグ４ｘには比較的ゴムの歪みが集中せず、クラック等の発生は大きく低減することとなった。
【実施例】
【００１６】
図５は本発明のゴムクロ−ラのエンドレス部における主要部の平坦図である。この例にあっては、外周側に重ねられるスチ−ルコ−ドの最先端３ａ０ に対応して副ゴムラグ４ｘが形成されるが、かかる副ゴムラグ４ｘはその前後の主ゴムラグ４よりもその背丈が低く形成されている例である。このため、副ゴムラグ４ｘは主ゴムラグ２の機能である牽引、旋回、耐荷重性能をほとんどもたらさず、かかるゴムラグ４ａ近傍のゴムにはそれほど歪みが加わらない。
【００１７】
従って、スチ−ルコ−ドの最先端３ａ０ の跳ね上がり傾向によるゴムへの歪みに耐えることができればよく、この歪みと主ゴムラグ４によってもたらされる歪みが合算されることはなくなり、ゴムへのクラックの発生は極めて低減することとなったものである。
【００１８】
図６は本発明のゴムクロ−ラのエンドレス部の別例を示す平坦図である。この例にあっては、外周側に重ねられるスチ−ルコ−ドの最先端３ａ０ に対応して副ゴムラグ４ａが円弧状に形成されたものである。勿論、かかる副ゴムラグ４ｘはその前後の主ゴムラグ４よりもその背丈が低く形成されている。この副ゴムラグ４ｘにあっても、前例と同様に主ゴムラグ４の機能である牽引、旋回、耐荷重性能をほとんどもたらさず、かかるゴムラグ４ａ近傍のゴムにはそれほど歪みが加わらない。
【００１９】
従って、スチ−ルコ−ドの最先端３ａ０ の跳ね上がり傾向によるゴムへの歪みに耐えることができればよく、この歪みと主ゴムラグ４によってもたらされる歪みが合算されることはなくなり、ゴムへのクラックの発生は極めて低減することとなったものである。
【００２０】
図７は本発明のゴムクロ−ラのエンドレス部の更に別例を示す平坦図である。この例にあっては、外周側に配置されるスチ−ルコ−ドの最先端部３ａ０ に対応して、前後する主ゴムラグ４、４間を平坦に埋めて副ゴムラグ４ｘとしたものである。勿論、前例と同様に主ゴムラグ４の機能である牽引、旋回、耐荷重性能をもたらさず、従って、かかるゴムラグ４ａ近傍のゴムにはそれほど歪みが加わらず、ゴムへのクラックの発生は極めて低減することとなったものである。この平坦部４ｘの背丈は主ゴムラグ４の高さ以内であれば特に限定はない。
【産業上の利用可能性】
【００２１】
本発明はゴムクロ−ラのエンドレス構造にあって、重ね合わせたスチ−ルコ−ド先端におけるゴム弾性体への歪みを低減するものであり、芯金を使用するゴムクロ−ラは勿論、芯金レスゴムクロ−ラにも適用できる。
【図面の簡単な説明】
【００２２】
【図１】図１は有端長尺のゴム弾性体の一例を示す図である。
【図２】図２は有端長尺のゴム弾性体の両端を加硫接着する際の図である。
【図３】図３はゴムクロ−ラをスプロケットに巻き掛けした際の状態図である。
【図４】図４は図３におけるゴムクロ−ラの平坦図である。
【図５】図５は本発明のエンドレス部の平坦図である。
【図６】図６は本発明のエンドレス部の別例を示す平坦図である。
【図７】図７は本発明のエンドレス部の更に別例を示す平坦図である。
【符号の説明】
【００２３】
１‥有端長尺ゴム弾性体、
２‥芯金、
３‥スチ−ルコ−ド、
３ａ、３ｂ‥スチ−ルコ−ド先端、
３ａ０ ‥スチ−ルコ−ドの最先端、
４、４ａ、４ｂ‥ゴムラグ、
４ｄ‥ゴムラグの基底部、
４ｘ‥副ゴムラグ、
１０‥ゴムクロ−ラ、
２０‥スプロケット、
Ｃ‥クラック。
【図１】
2006056456.tif 000003
【図２】
2006056456.tif 000004
【図３】
2006056456.tif 000005
【図４】
2006056456.tif 000006
【図５】
2006056456.tif 000007
【図６】
2006056456.tif 000008
【図７】
2006056456.tif 000009